(57)【要約】【課題】コイルのプレートフィンの表面に湿膜を形成することにより、捕集効果を高めたを湿膜コイルを提供する。【解決手段】コイル３は、そのプレートフィン３０に、水平方向に長い孔３１を多数形成する。コイル３の上に、吸水性又は保水性の材質によって形成されたマット６０を配設するるとともに、このマット６０上に水を滴下する給水管７０を設ける。給水管７０から、マット６０を介してプレートフィン３０に供給され、その後落下した水が、下部に配置された水槽に回収され、一部は排水され、一部は補給水とともにポンプによって給水管に循環供給されるように、配管を接続する。【選択図】図３
2008175525.tif 000002
【特許請求の範囲】
【請求項１】
熱媒が循環する管と、前記管に取り付けられたプレートフィンとを有し、前記プレートフィン表面に湿膜が形成されていることを特徴とする湿膜コイル。
【請求項２】
前記プレートフィン表面全体が、水膜で覆われた濡れ面となるように、前記プレートフィンに複数の孔が形成されていることを特徴とする請求項１記載の湿膜コイル。
【請求項３】
前記熱媒が循環する管が、熱媒として冷水または温水が循環するものであることを特徴とする請求項１または請求項２記載の湿膜コイル。
【請求項４】
熱媒によって空気との熱交換を行なう熱交換コイルを備え、
前記熱交換コイルは、熱媒が循環する管と、前記管に取り付けられたプレートフィンとを有し、
前記プレートフィンの上部にはプレートフィンに対して給水するための給水管が配設され、
前記給水管からの給水により、プレートフィン表面に湿膜が形成されていることを特徴とするコイルの湿膜形成装置。
【請求項５】
前記給水管と前記プレートフィンとの間には、保水性若しくは吸水性のマットが配設されていることを特徴とする請求項４記載のコイルの湿膜形成装置。
【請求項６】
前記給水管が、前記プレートフィンに対して、表面張力を低下させた水分を供給するものであることを特徴とする請求項４または請求項５記載のコイルの湿膜形成装置。
【発明の詳細な説明】
【技術分野】
【０００１】
本発明は、コイルに設けられたプレートフィンの表面に湿膜を形成した湿膜コイル、及びコイルに対して湿膜を形成するための装置に関する。
【背景技術】
【０００２】
電子工業や精密機械工業の工場、食品保存用の貯蔵庫、実験用動物飼育室、バイオロジカルクリーンルームなどにおいては、室内空気の温度、湿度、清浄度等の室内環境を、その室の目的に適合する状態に処理調整する空気調和機が不可欠である。この空気調和機は、主として、空気を加熱冷却するコイル、加湿する加湿器、清浄化するエアフィルタ及び送風機によって構成されている。
【０００３】
ところで、近年、半導体、液晶及びハードディスクなどの製造工場において、製品の品質や歩留まりに影響を与える要因として、空気中の微粒子のみならず、ガス状の汚染物質（以下、ケミカルガスと呼ぶ）が問題となっている。このようなケミカルガスとしては、例えば、フッ化水素や塩化水素などの酸性ガスなどがある。
【０００４】
しかし、かかるケミカルガスは、ＨＥＰＡ（ｈｉｇｈ  ｅｆｆｉｃｉｅｎｃｙ  ｐａｒｔｉｃｕｌａｔｅ  ａｉｒ）フィルタやＵＬＰＡ（ｕｌｔｒａ  ｌｏｗ  ｐｅｎｅｔｒａｔｉｏｎ  ａｉｒ）フィルタのように、高い粒子捕集率をもつフィルタであっても対処し難いため、特別の対策を講ずる必要がある。
【０００５】
現在、ケミカルガスを除去する方式としては、ケミカルエアフィルタと呼ばれる各種のフィルタを用いて除去する乾式方式と、液体との接触によってガスを吸収させて除去する湿式方式とがある。乾式方式は、ケミカルガスの種類によってケミカルエアフィルタの種類や処理方法及びフィルタに添着する化学物質の種類が異なる。このようなフィルタとしては、活性炭または各種の薬品類を添着した活性炭を用いた粒状、繊維状若しくはハニカム構造のもの、フィラメント構造の樹脂フォームにビーズ活性炭を担持させたもの、イオン交換機能をもたせた樹脂ろ材等がある。
【０００６】
一方、湿式方式は、液滴の噴霧や空隙率が高く表面積の大きい充填材に液状物質を供給することにより、気中のケミカルガスを除去するものである。このような湿式方式としては、エアワッシャーを用いて通気中に加圧水を直接噴霧するもの、吸水性素材に対して微粒子径の水を噴霧するもの、ＰＴＦＥ（ポリテトラフルオロエチレン）の多孔質膜を介して純水中にガスを吸収する拡散スクラバ法によるもの等がある。また、従来の高精度の湿度制御を行なう場合の加湿方法としては、蒸気加湿が一般的であったが、親水性の水膜を用いて比例制御を行なう方法も考案されている。
【発明の開示】
【発明が解決しようとする課題】
【０００７】
ところで、上記のようなケミカルガスの除去方法には、以下のような問題点があった。すなわち、ケミカルエアフィルタを用いた乾式方式は、高価であり、寿命が短い。しかも、寿命予測が困難であるため、約６ヶ月〜１年程度で交換する必要があり、ランニングコストが高い。かかる交換作業の手間に加えて、再利用が難しいため、産業廃棄物としての処理の手間がかかる。また、初期の除去性能は連続的に低下していく。そして、送風抵抗（圧力損失）が大きく、送風コストが上昇する。さらに、フィルタに対する化学添加物自身が、室内の汚染源になる可能性がある。
【０００８】
一方、湿式方式の場合には、基本的に気液接触面積を増やすことが、高い除去能力に繋がる。このため、エアワッシャーを用いた場合には、水側の表面積を増す手段として、噴霧粒子径を小さくすること、あるいは噴霧水量を増やすことが行なわれている。しかし、これらは大きな噴霧水圧を必要としたり、噴霧水量を多くする必要があり、ランニングコストがかかる。また、吸水性素材に対して水を噴霧する方式の場合にも、噴霧水のキャリーオーバーを防ぐために吸水性素材を折板状とするため圧力損失が大きく、また上流側ほど水滴の捕集が多いため、下流側では濃縮されたガスが排水側に移動し難い（水の移動が少ない）などの問題点がある。さらに、拡散スクラバ法による場合には、ＰＴＦＥの多孔質膜が高価であるうえに、膜を支える構造体などが空気側の有効な通風面積を減少させ、圧力損失を増やすなどの問題がある。
【０００９】
これに対処するため、素材自体に強度があり、親水性を持った気化式加湿器を用いて純水を滴下することにより、ケミカルガスを除去する空気調和機も提案されている。かかる空気調和機によれば、加湿素材として市販の気化式加湿器における加湿モジュールを用いることができるのでイニシャルコストが低い。また、噴霧式ではなく滴下式なので水圧が低くて済み、しかも親水性が高く表面積も大きいことから、少水量でも気液接触面積を大きくできるので、ランニングコストを低く抑えられるとともに、ケミカルガスの除去率が高くなる。さらに、加湿モジュールを多段に設けて対向流とすることにより、少ない補給水量でも高い効率の除去を実現できる。
【００１０】
しかしながら、かかる場合であっても、加湿モジュールにおける親水性素材にケミカルガスを除去させることは、以下のような問題が残る。すなわち、親水性素材は、親水性を第１に考えられているため、汚れた場合の高圧洗浄に対しては、強度に難があり、薬品洗浄の際には薬品が残留する可能性がある。また、間欠運転では菌の発生などにより臭気が出る場合があり、停止時には素材が乾くまで残留運転が必要となる。さらに、加湿モジュールの設置スペースが必要となるため、所要スペースの縮小には限界がある。
【００１１】
本発明は、前記のようなワッシャー及び加湿膜を用いた従来技術の問題点を解決するために提案されたものであって、その目的は、ワッシャーや加湿モジュールを用いる必要がなく、イニシャルコスト及びランニングコストを低減することができ、所要スペースの小さい湿膜コイル及びコイルに湿膜を形成するための装置を提供することにある。
【課題を解決するための手段】
【００１２】
上記の目的を達成するために、請求項１記載の発明にかかる湿膜コイルは、熱媒が循環する管と、前記管に取り付けられたプレートフィンとを有し、前記プレートフィン表面に湿膜が形成されていることを特徴とする。
以上のような請求項１記載の発明では、コイルのプレートフィンの表面に形成された湿膜により、湿膜コイルを通過する空気がこの湿膜に接触することができる。
【００１３】
請求項２の発明にかかる湿膜コイルは、前記プレートフィン表面全体が、水膜で覆われた濡れ面となるように、前記プレートフィンに複数の孔が形成されていることを特徴とする。
以上のような請求項２記載の発明では、プレートフィンに形成された複数の孔によって、プレートフィンの表面全体に湿膜が形成され、且つ湿膜がフィン表面で保持される。
【００１４】
請求項３の発明にかかる湿膜コイルは、前記熱媒が循環する管が、熱媒として冷水または温水が循環するものであることを特徴とする。
以上のような請求項３載の発明では、熱媒として温水を循環させた場合には、コイル表面を濡れ面とすることによって、コイルに加湿手段とケミカルガス除去手段としての機能を持たせることができる。また、熱媒として冷水を循環させた場合には、飽和空気よりも少しだけ温度を下げることにより、コイルのプレートフィンの表面に均一に結露させ、この濡れたプレートフィンに水を供給して表面全体に行きわたらせることによって、ケミカルガス除去手段としての機能を持たせることができる。
【００１５】
請求項４の発明にかかるコイルの湿膜形成装置は、熱媒によって空気との熱交換を行なう熱交換コイルを備え、前記熱交換コイルは、熱媒が循環する管と、前記管に取り付けられたプレートフィンとを有し、前記プレートフィンの上部にはプレートフィンに対して給水するための給水管が配設され、前記給水管からの給水により、プレートフィン表面に湿膜が形成されていることを特徴とする。
以上のような請求項４記載の発明では、吸水管からの給水がプレートフィンの表面に供給されることにより、プレートフィン表面は常に濡れ面となり、湿膜が形成されることになる。
【００１６】
請求項５の発明にかかるコイルの湿膜形成装置は、前記給水管と前記プレートフィンとの間には、保水性若しくは吸水性のマットが配設されていることを特徴とする。
以上のような請求項５記載の発明では、給水管とプレートフィンとの間に保水性又は吸水性のマットが配設されているので、このマットによって、プレートフィンに対して水分が均一に分散される。
【００１７】
請求項６の発明にかかるコイルの湿膜形成装置は、前記給水管が、前記プレートフィンに対して、表面張力を低下させた水分を供給するものであることを特徴とする。
以上のような請求項６記載の発明では、表面張力の低下した水分がプレートフィンに供給されるので、プレートフィンとの親水性が向上して、供給水が均一に行きわたることができる。
【発明の効果】
【００１８】
以上説明したように、本発明によれば、加湿又はケミカルガス除去用として専用の湿膜を用いる必要がなく、冷却又は加熱コイルのプレートフィンを利用することにより、イニシャルコスト及びランニングコストを低減することができ、所要スペースの小さい湿膜コイルを提供することができる。
【発明を実施するための最良の形態】
【００１９】
以下、本発明の湿膜コイルを空気調和機に適用した実施の形態を、図面に基づいて具体的に説明する。
［１．第１の実施の形態］
［１−１．構成］
まず、本発明の第一の実施の形態を、図１〜図５を参照して説明する。すなわち、図中、左側を空気取入口、右側を空気供給口とするハウジング１の内部に、空気取入口側から、外気の塵埃を取り除くプレフィルタ２ａ及びフィルタ２、循環する温水によって空気を加熱する第１の加熱コイル３、循環する冷水によって空気を冷却する冷却コイル４、循環する温水によって空気を加熱する加熱コイル５、ハウジング１外へ空気を吐出す送風機６が配設されている。プレフィルタ２ａとしては、比較的大きな粒子を捕集する粗塵用エアフィルタが用いられる。フィルタ２としては、例えば、中性能若しくはＨＥＰＡフィルタが用いられる。
【００２０】
第１の加熱コイル３、冷却コイル４、第２の加熱コイル５には、それぞれ温水及び冷水の流量を制御するバルブ７，８，９が設けられている。また、加湿空気の供給口には、供給空気の露点温度を検出する露点温度センサ１０と、供給空気の乾球温度を検出する乾球温度センサ１１とが取り付けられている。
【００２１】
第１の加熱コイル３、冷却コイル４及び第２の加熱コイル５は、図２に示すように、蛇行配置された銅管２０に対して、銅製の長方形状のプレートフィン３０が気流の方向に複数圧着され、鋼板の枠４０によって固定されている。そして、銅管２０の両端部には、熱源水の入口及び出口を備えたヘッダ５０がそれぞれ取り付けられている。また、第１の加熱コイル３、冷却コイル４及び第２の加熱コイル５を流れる冷水及び温水は、空気流に対して対向流となるように、それぞれの冷水及び温水の入口側は、風下に設定されている。
【００２２】
さらに、第１の加熱コイル３は、図３に示すように、プレートフィン３０に、水平方向に長い孔３１が多数形成されている。これらの孔３１は、図４に示すように、水平方向に並んだ２つの孔３１の間が、その下の孔３１の中央に来るように、交互に配列されている。また、第１の加熱コイル３の上には、吸水性又は保水性の材質によって形成されたマット６０が配設されるとともに、このマット６０上に水を滴下する給水管７０が設けられている。そして、図１に示すように、給水管７０から、マット６０を介してプレートフィン３０に供給され、その後落下した水は、下部に配置された水槽７１に入り、一部は排水され、一部は補給水とともにポンプ７２によって給水管７０に循環供給されるように、配管が接続されている。
【００２３】
そして、バルブ７，８及び露点温度センサ１０は、制御器１２に接続されている。また、バルブ８，９及び乾球温度センサ１１は、制御器１３に接続されている。制御器１２は、露点温度センサ１０によって検出される露点温度に基づいて、第１の加熱コイル３の温水の量を制御するように構成されている。制御器１３は、乾球温度センサ１１によって検出される乾球温度に基づいて、第２の加熱コイル５の温水の量を制御するように構成されている。冷却コイル４に対しては、露点温度センサ１０及び乾球温度センサ１１の検出値に基づいて、制御器１２，１３による制御が行われる構成となっている。なお、ポンプ７２は、ケミカルガス除去を行なう場合は常時運転を行なうが、加湿のみを行なう場合は、制御器１３に接続された露点温度センサ１０の検出値に基づいてＯＮ、ＯＦＦ制御が行なわれる構成となっている。
【００２４】
［１−２．作用］
［１−２−１．加熱加湿時］
以上のような構成を有する本実施の形態の作用を、まず、冬季のように空気の加熱加湿が必要な場合を例にして、以下に説明する。なお、図５に示したＡｗ〜Ｄｗ、Ａｓ〜Ｄｓは、図１で示したＡ〜Ｄの位置における空気の状態に対応している。すなわち、送風機６を作動させ、第１の加熱コイル３のバルブ７を開とするとともに、ポンプ７２を作動させる。ポンプ７２によって送り出された水は、給水管７０からマット６０に対して供給され、さらにマット６０から各プレートフィン３０に滴下される。
【００２５】
このように滴下された水は、孔３１によって各プレートフィン３０の全面に均一に保持される。つまり、孔３１は水平方向に長いので、孔３１に達した水は横に広がり、重力で下に落ち難くなる。また、上下の孔３１は上記のように交互に配列されているので、上の孔３１の間を落ちる水が、下の孔３１の中心に入り保持される。従って、水がプレートフィン３０全体に均一に行き渡る。これにより、プレートフィン３０の表面が水膜で覆われた濡れ面となる。一方、落下した水は、下部に配置された水槽７１にて回収されて、一部は排水され、一部は補給水とともにポンプ７２によって給水管７０に循環供給される。
【００２６】
ハウジング１の空気取入口（Ａ点）から流入した外気は、プレフィルタ２ａ及びフィルタ２を介して塵埃が濾過された後、第１の加熱コイル３によって加熱されるとともに、上記のように水分を保持し、濡れ面となったプレートフィン３０を通過する際に加湿される（Ｂ点）。これにより、図５のＡｗとＢｗとを結ぶ実線で示すように乾球温度及び相対湿度が推移する。加熱加湿された空気は、さらに第２の加熱コイル５によって加熱され（Ｄ点）、送風機６によって供給口から供給される。これにより、図５のＢｗとＤｗを結ぶ実線で示すように、絶対湿度は一定で、乾球温度が上昇する顕熱変化が起こる。
【００２７】
なお、供給空気の絶対湿度が、室内設定温湿度を満たす値となるように、第１の加熱コイル３における温水の流量は、供給口に設置された露点温度センサ１０によって検出される露点温度値に基づいて、制御器１２がバルブ７の開度を比例制御することによって調節され、第２の加熱コイル５における温水の流量は、供給口に設置された乾球温度センサ１１によって検出される乾球温度値に基づいて、制御器１３がバルブ９の開度を比例制御することによって調節される。
【００２８】
また、空気がプレートフィン３０を通過する際には、上記の従来技術で示した湿式方式や気化式加湿器を用いたケミカルガスの除去と同様の原理によって、その濡れ面における水分がケミカルガスを吸収する。
【００２９】
［１−２−２．冷却除湿時］
次に、夏季などの空気の冷却除湿が必要な場合について、以下に説明する。まず、送風機６を作動させるとともに、冷却コイル４のバルブ８を開とする。ハウジング１の空気取入口（Ａ点）から流入した外気は、プレフィルタ２ａ及びフィルタ２を介して塵埃が濾過された後、冬季加熱加湿時と同じように、第１の加熱コイル３により加湿とケミカルガス除去が行なわれる（Ｂ点）。これにより、図５のＡｓとＢｓとを結ぶ一点鎖線で示すように乾球温度及び相対湿度が推移する。なお、この場合はバルブ７が閉となっており、第１の加熱コイル３への温水は供給されない。
【００３０】
この後、空気は冷却コイル４によって冷却され（Ｃ点）、送風機６によって供給口から供給される。これにより、図５のＢｓとＣｓを結ぶ一点鎖線で示すように、乾球温度及び相対湿度が推移する。この場合には、冷却コイル４におけるプレートフィン３０の面の結露水が、均一な濡れ面を形成することから、非常に高いケミカルガス除去性能が得られる。
【００３１】
冷却コイル４における冷水の流量は、供給口に設置された露点温度センサ１０及び乾球温度センサ１１に基づいて、供給空気の絶対湿度が、室内設定温湿度を満たす値となるように、制御器１２，１３がバルブ８の開度を比例制御することによって調整される。なお、室内温度との関係で、さらに加熱が必要となる場合には、バルブ９が開とされて、上述と同様に、第２の加熱コイル５による加熱が行なわれる（Ｄ点）。これにより、図５のＣｓとＤｓを結ぶ一点鎖線で示すように、絶対湿度は一定で、乾球温度が上昇する顕熱変化が起こる。
【００３２】
また、冬季及び夏季以外の中間季においては、外気と室内設定温度に合わせて、露点温度センサ１０の検出値に基づく第１の加熱コイル３及び冷却コイル４の流量制御、乾球温度センサ１１の検出値に基づく冷却コイル４の流量制御及び第２の加熱コイル５の流量制御が行なわれる。
【００３３】
［１−３．効果］
以上のような本実施の形態によれば、加湿及びケミカルガスの吸収を、金属製のプレートフィン３０を水膜で覆われた濡れ面とすることによって行なうことができるので、材質に経年変化がなく、水を連続補給することで寿命劣化のないケミカルガス吸収が可能となる。また、金属製のプレートフィン３０に対しては、高圧洗浄によって容易に洗浄することができ、薬品洗浄の場合にも薬品の残留を容易に除去することができる。
【００３４】
そして、加湿器とガス吸収装置を兼用させているので、省スペース化と低コスト化を実現できる。特に、加湿器やガス吸収装置を別途設けずに、プレートフィン３０に孔３１を形成し、給水管７０とマット６０を配設するだけで構成できるので、イニシャルコストを大幅に低減できる。また、水の供給は滴下式なので、高い水圧を必要とせず、プレートフィン３０の表面積が大きく気液接触面積が大きいことから、大量の水を必要とせず、ランニングコストを節約することができる。
【００３５】
また、プレートフィン３０は金属製であるため、停止時の乾燥運転は非常に短時間で処理することが可能である。また、間欠運転時の臭気の発生の問題もなくなる。特に、プレートフィン３０を銅製としているので、高い抗菌性を持たせることができる。さらに、プレートフィン３０に形成された複数の孔３１によって、供給水が均一に行き渡り、水膜で覆われた濡れ面とすることができるので、均一かつ安定した加湿効率及びケミカルガスの吸収効率を得ることができる。特に、プレートフィン３０に対する水の滴下は、吸水性又は保水性のマット６０を介して行なうので、給水管７０によって直接撒布する場合に比べて、水分が均一に行き渡る。
【００３６】
［２．第２の実施の形態］
［２−１．構成］
次に、本発明の第２の実施の形態を、図６及び図７を参照して以下に説明する。すなわち、本実施の形態においては、冷却コイル４が、上記の第１の実施の形態における第１の加熱コイル３と同様に、プレートフィン３０に多数の孔３１が形成され、マット６０を介して給水管７０からの水が供給可能に構成されている。そして、水槽７１は、冷却コイル４の下部もカバーしている。なお、その他の構成は、上記の第１の実施の形態と同様である。
【００３７】
［２−２．作用］
以上のような本実施の形態の作用効果を以下に説明する。なお、図７に示したＡｗ〜Ｄｗ、Ａｓ〜Ｄｓは、図６で示したＡ〜Ｄの位置における空気の状態に対応している。すなわち、冬季のように空気の加熱加湿が必要な場合には、送風機６を作動させ、第１の加熱コイル３のバルブ７を開とするとともに、ポンプ７２を作動させる。ポンプ７２によって送り出された水は、給水管７０から第１の加熱コイル３及び冷却コイル４におけるマット６０に対して供給され、さらにマット６０から各プレートフィン３０に滴下される。
【００３８】
このように滴下された水は、上記の第１の実施の形態と同様に、各プレートフィン３０の全体に行き渡るので、ハウジング１の空気取入口（Ａ点）から流入した外気は、プレフィルタ２ａ及びフィルタ２を介して塵埃が濾過された後、第１の加熱コイル３によって加熱されるとともに、上記のように水膜に覆われたプレートフィン３０を通過する際に加湿される（Ｂ点）。これにより、図７のＡｗとＢｗとを結ぶ実線で示すように乾球温度及び相対湿度が推移する。加熱加湿された空気は、冷却コイル４を通過する際に、上記のように水分を保持したプレートフィン３０によって加湿される（Ｃ点）。これにより、図７のＢｗとＣｗとを結ぶ実線で示すように、乾球温度及び相対湿度が推移する。
【００３９】
このように加湿された空気は、さらに第２の加熱コイル５によって加熱され（Ｄ点）、送風機６によって供給口から供給される。これにより、図７のＣｗとＤｗを結ぶ実線で示すように、絶対湿度は一定で、乾球温度が上昇する顕熱変化が起こる。また、空気が第１の加熱コイル３及び冷却コイル４のプレートフィン３０を通過する際に、その濡れ面における水分がケミカルガスを吸収する。なお、夏季などの空気の冷却除湿が必要な場合や中間季についての制御は、上記の第１の実施の形態と同様である。
【００４０】
［２−３．効果］
以上のような本実施の形態によれば、第１の加熱コイル３のみならず、冷却コイル４におけるプレートフィン３０に対しても水を供給して、加湿及びケミカルガスの除去を行なうことができるので、加湿効率及びケミカルガスの除去効率が上昇する。
【００４１】
［３．第３の実施の形態］
［３−１．構成］
本発明の第３の実施の形態を、図８を参照して以下に説明する。すなわち、本実施の形態は、熱交換器として夏季と冬季で通水を切り替えて使用する冷温水兼用コイル８０のみが設けられ、ハウジング１の小形化が図られている。そして、冷温水兼用コイル８０におけるプレートフィン３０には、上記の第１の加熱コイル３と同様に多数の孔３１が形成され、マット６０を介して給水管７０からの水が供給可能に設けられている。そして、冷温水兼用コイル８０の下部に落下した水は、水槽７１に回収されて、一部は排水され、一部は補給水とともにポンプ７２によって給水管７０に循環供給されるように配管が接続されている。
【００４２】
冷温水兼用コイル８０の流量を調節するバルブ８１は、室内に設けられたサーモスタットＴの検出値に基づいて、図示しない制御器によって制御されるように構成されている。また、ポンプ７２によって供給される給水管７０からの滴下水の流量は、室内に設けられたヒューミディスタットＨの検出値に基づいて、図示しない制御器によってインバータ制御されるように構成されている。
【００４３】
［３−２．作用効果］
以上のような本実施の形態によれば、冬季のように空気の加熱加湿が必要な場合には、送風機６を作動させ、冷温水兼用コイル８０のバルブ８１を開として温水を供給するとともに、ポンプ７２を作動させる。ポンプ７２によって送り出された水は、給水管７０から冷温水兼用コイル８０におけるマット６０に対して供給され、さらにマット６０から各プレートフィン３０に滴下される。
【００４４】
このように滴下された水は、上記の第１の実施の形態と同様に、各プレートフィン３０全体に行き渡るので、ハウジング１の空気取入口から流入した外気は、冷温水兼用コイル８０によって加熱されるとともに、そのプレートフィン３０を通過する際に加湿される。これにより、乾球温度及び相対湿度が上昇する。なお、夏季などの空気の冷却除湿が必要な場合や中間季についての制御は、上記の第１の実施の形態と同様である。
【００４５】
本実施の形態は、熱交換器を、１台の冷温水兼用コイル８０としたので、複数台の熱交換器を設ける場合に比べて、小形化を実現でき、設置スペースを大幅に縮小することができる。なお、給水管７０からの滴下水量の制御は、給水管７０へ水を供給する配管を複数接続し、それぞれに設けられた電磁弁の開閉を制御する方法や、ポンプ７２を複数台設置し、それぞれのＯＮ、ＯＦＦを制御する方法によって行なうことも可能である。
【００４６】
［４．他の実施の形態］
本発明は上記のような実施の形態に限定されるものではない。すなわち、主として加湿を目的とする空気調和機の場合には、プレートフィンの濡れ性はあまり必要とせず、必ずしもプレートフィンに特別な加工を施さなくともよい。例えば、プレートフィンに孔を形成しない以外は、上記の第１の実施の形態と同様の空気調和機を構成することもできる。かかる場合の温度及び湿度制御の一例を図５の点線に示す。なお、図５に示した(1)〜(3)は、図１で示した(1)〜(3)の位置における空気の状態に対応している。
【００４７】
この実施の形態によれば、給水管７０からマット６０に対して供給された水が、さらにマット６０から各プレートフィン３０に滴下され、各プレートフィン３０に沿って落下する。そして、ハウジング１の空気取入口（(1)点）から流入した外気は、プレフィルタ２ａ及びフィルタ２を介して塵埃が濾過された後、第１の加熱コイル３によって加熱されるとともに、上記のようにプレートフィン３０に沿って落下する水滴の間を通過する際に加湿される（(2)点）。これにより、図５の(1)と(2)とを結ぶ点線で示すように乾球温度及び相対湿度が推移する。加熱加湿された空気は、さらに第２の加熱コイル５によって加熱され（(3)点）、送風機６によって供給口から供給される。これにより、図５の(2)と(3)を結ぶ点線で示すように、絶対湿度は一定で、乾球温度が上昇する顕熱変化が起こる。
【００４８】
また、プレートフィンに孔を形成しない以外は、上記の第２の実施の形態と同様の空気調和機を構成することもできる。かかる場合の温度及び湿度制御の一例を図７の点線に示す。なお、図７に示した(1)〜(4)は、図６で示した(1)〜(4)の位置における空気の状態に対応している。
【００４９】
この実施の形態によれば、給水管７０からマット６０に対して供給された水が、さらにマット６０から加熱コイル３及び冷却コイル４における各プレートフィン３０に滴下され、各プレートフィン３０に沿って落下する。そして、ハウジング１の空気取入口（(1)点）から流入した外気は、プレフィルタ２ａ及びフィルタ２を介して塵埃が濾過された後、第１の加熱コイル３によって加熱されるとともに、上記のようにプレートフィン３０に沿って落下する水滴の間を通過する際に加湿される（(2)点）。これにより、図７の(1)と(2)とを結ぶ点線で示すように乾球温度及び相対湿度が推移する。
【００５０】
加熱加湿された空気は、冷却コイル４を通過する際に、上記のようにプレートフィン３０に沿って落下する水滴によって加湿される（(3)点）。これにより、図７の(2)と(3)とを結ぶ点線で示すように、乾球温度及び相対湿度が推移する。このように加湿された空気は、さらに第２の加熱コイル５によって加熱され（(4)点）、送風機６によって供給口から供給される。これにより、図７の(3)と(4)を結ぶ点線で示すように、絶対湿度は一定で、乾球温度が上昇する顕熱変化が起こる。
【００５１】
また、プレートフィンに特別な加工を施さない場合であっても、夏季の入口空気絶対湿度が高い場合には、空気調和機内の冷却コイルプレートフィン全体に結露が起こり、均一な濡れ面となる。この結露水を分析すると、ケミカル成分濃度は非常に高く、単なるケミカルガス汚染物質の結露凝縮だけでなく、プレートフィン面の濡れによるケミカルガスの吸収が起きていることが分かる。但し、結露水のケミカル成分濃度は非常に高いため、結露水のみによるケミカルガス吸収では不十分であり、この状態にさらに水を滴下することによって、均一に濡れた大きな吸収面が得られ、ケミカルガスの吸収効率を向上させることができる。
【００５２】
従って、例えば、プレートフィンに孔を形成しない以外は、上記の第２の実施の形態と同様の空気調和機を以下のように制御することによっても、高いケミカルガス除去効果を得ることができる。かかる場合の温度及び湿度制御の一例を図９に示す。なお、図９に示した(1)〜(4)は、図６で示した(1)〜(4)の位置における空気の状態に対応している。
【００５３】
この実施の形態によれば、給水管７０からマット６０に対して供給された水が、さらにマット６０から加熱コイル３及び冷却コイル４における各プレートフィン３０に滴下される。そして、ハウジング１の空気取入口（(1)点）から流入した外気は、プレフィルタ２ａ及びフィルタ２を介して塵埃が濾過された後、第１の加熱コイル３によって加熱されるとともに、上記のようにプレートフィン３０に沿って落下する水滴の間を通過する際に加湿される（(2)点）。このとき、冷却コイル４のプレートフィン３０に十分に結露が生じるように、加湿量を多くしていわば過加湿の状態とする。これにより、図９の(1)と(2)とを結ぶ実線で示すように乾球温度及び相対湿度が推移する。
【００５４】
加熱加湿された空気は、冷却コイル４を通過する際に冷却除湿され、プレートフィン３０の全体に均一に結露が生じ、大面積の均一な濡れ面が形成される。同時に、プレートフィン３０には補給水が滴下されているので、高いケミカルガスの除去効果を得ることができる（(3)点）。これにより、図９の(2)と(3)とを結ぶ実線で示すように、乾球温度及び相対湿度が推移する。このように過加湿後、冷却除湿された空気は、さらに第２の加熱コイル５によって加熱され（(4)点）、送風機６によって供給口から供給される。これにより、図９の(3)と(4)を結ぶ実線で示すように、絶対湿度は一定で、乾球温度が上昇する顕熱変化が起こる。なお、除湿期においては、上記のような過加湿制御を行なわなくとも、冷却コイル４のプレートフィン３０には、全体に均一に結露が起こる。従って、この状態で連続的に補給水を滴下することによって、高いケミカルガスの除去効果を得ることができる。
【００５５】
さらに、上述のような過加湿を実現するために、図１０に示すような構成とすることも可能である。すなわち、上記の各実施の形態において、加熱コイル３の前後にランアラウンドコイル９０を配設して、このプレートフィンに純水を滴下する空気調和機を構成する。かかる構成とすることによって、ランアラウンドコイル９０及び加熱コイル３を通過する空気を容易に過加湿として、冷却コイル４のプレートフィンの結露を生じさせることができるとともに、省エネルギー効果が得られる。
【００５６】
また、例えば、プレートフィンに親水性を持たせる方法としては、耐久性やコスト面を考慮すると、上記の実施の形態のように多数の孔を形成する方法が適しているが、以下のような方法も適用可能である。例えば、プレートフィンへ親水性塗料を塗布したり、親水性のコーティングを施すことが考えられる。但し、かかる方法は、剥離や劣化等の可能性がある。また、二酸化チタンに光を照射することが考えられる。但し、かかる方法は、プレートフィンの間隔等を考慮すると困難性が残る。
【００５７】
また、上記の実施の形態で示したプレートフィンへ供給する水に、界面活性剤を添加したり、半導体の洗浄に用いられる超純水の活性水若しくは機能水を使用することも可能である。かかる場合には、プレートフィンへ供給される水の表面張力が低いので、プレートフィンとの親水性が向上し、供給水が均一に行き渡り、均一かつ安定した加湿効率及びケミカルガスの吸収効率を得ることができる。なお、この場合には、プレートフィンに特別な加工を施さなくともよいが、上記の実施の形態で示した親水性を高める加工を施すことによって、より均一な濡れ面とすることが可能で加湿効率及びケミカルガスの吸収効率をさらに向上させることができる。
【００５８】
また、上述の熱交換用のコイルは、プレートフィンを備えたものであれば、その種類を問わない。プレートフィンの材質は、上記の実施の形態に限定するものではない。例えば、アルミニウムを用いることもできる。但し、抗菌性を考慮すると銅製が望ましく、さらに、銀イオンを添着することによって抗菌性を高めることもできる。
【００５９】
プレートフィンに形成する孔の大きさや形状、数も、親水性、保水性を持たせることができるものであればよく、上記の実施の形態で示したものには限定されない。プレートフィンや銅管の数や形状も上記の実施の形態で示したものには限定されない。さらに、熱交換用のコイルの数は、設計の段階で自由に変更可能であり、例えば、加熱コイルと冷却コイルとを一台づつ設けたものであってもよい。
【図面の簡単な説明】
【００６０】
【図１】本発明の湿膜コイルを適用した空調装置の第１の実施の形態を示す構成図である。
【図２】図１の実施の形態における加熱コイル及び冷却コイルを示す斜視図である。
【図３】図１の実施の形態における加熱コイルの内部構成を示す斜視図である。
【図４】図３の側面図である。
【図５】図１の実施の形態における温度及び湿度制御の一例を示す湿り空気線図である。
【図６】本発明の湿膜コイルを適用した第２の実施の形態を示す構成図である。
【図７】図６の実施の形態における温度及び湿度制御の一例を示す湿り空気線図である。
【図８】本発明の湿膜コイルを適用した第３の実施の形態を示す構成図である。
【図９】本発明の他の実施の形態における温度及び湿度制御の一例を示す湿り空気線図である。
【図１０】本発明の湿膜コイルの他の実施の形態を示す構成図である。
【符号の説明】
【００６１】
１…ハウジング
２…フィルタ
２ａ…プレフィルタ
３…第１の加熱コイル
４…冷却コイル
５…第２の加熱コイル
６…送風機
７，８，９，８１…バルブ
１０…露点温度センサ
１１…乾球温度センサ
１２，１３…制御器
２０…銅管
３０…プレートフィン
３１…孔
４０…枠
５０…ヘッダ
６０…マット
７０…給水管
７１…水槽
７２…ポンプ
８０…冷温水兼用コイル
９０…ランアラウンドコイル
Ｔ…サーモスタット
Ｈ…ヒューミディスタット
【図１】
2008175525.tif 000003
【図２】
2008175525.tif 000004
【図３】
2008175525.tif 000005
【図４】
2008175525.tif 000006
【図５】
2008175525.tif 000007
【図６】
2008175525.tif 000008
【図７】
2008175525.tif 000009
【図８】
2008175525.tif 000010
【図９】
2008175525.tif 000011
【図１０】
2008175525.tif 000012